(57)【要約】【課題】遮蔽板を支える支柱が土台に固定された後であっても、遮蔽板の設置位置を容易に調整できるようにする。【解決手段】第１、第２の支柱と、第１、第２の接続部材と、第１、第２の板よりなる第１の可動部材と、第３、第４の板よりなる第２の可動部材と、端部において第１、第２の屈曲部を形成する遮蔽板とを有し、第１の板に設けた第１の長孔と第１の接続部材に設けた孔とにより第１の可動部材を第１の支柱と第１の長孔の任意の位置で固定し、第３の板に設けた第２の長孔と第２の接続部材に設けた孔とにより第２の可動部材を第２の支柱と第２の長孔の任意の位置で固定し、第１の屈曲部に設けた第３の長孔と第２の板に設けた孔とにより遮蔽板を第１の可動部材と第３の長孔の任意の位置で固定し、第２の屈曲部に設けた第４の長孔と第４の板に設けた孔とにより、遮蔽板を第２の可動部材と第４の長孔の任意の位置で固定するようにしたものである。【選択図】        図１
2008298496.tif 000002
【特許請求の範囲】
【請求項１】
予め位置決めされた所定の位置に固定される遮蔽板の取り付け構造において、
土台に固定されて所定の位置に設置される第１の支柱と、
土台に固定されて前記第１の支柱と所定の間隔を有して設置される第２の支柱と、
前記第１の支柱の所定の位置で固定される第１の接続部材と、
前記第２の支柱の所定の位置で固定される第２の接続部材と、
第１の方向に延長される第１の板と第２の方向に延長される第２の板よりなる断面Ｌ字形状を備え、前記第１の接続部材を前記第１の支柱に対して前記第１の板が係止され、前記第１の支柱と前記第１の方向に所定の範囲で固定可能な第１の可動部材と、
前記第１の方向に延長される第３の板と前記第２の方向に延長される第４の板とよりなる断面Ｌ字形状を備え、前記第２の接続部材を介して前記第２の支柱に対して前記第３の板が係止され、前記第２の支柱と前記第１の方向に所定の範囲で固定可能な第２の可動部材と、
前記第１の方向における一方の端部において任意の長さを有して前記第２の方向に屈曲し前記第２の板と前記第２の方向に所定の範囲で固定可能な第１の屈曲部を形成し、前記第１の方向における他方の端部において任意の長さを有して前記第２の方向に屈曲し前記第４の板と前記第２の方向に所定の範囲で固定可能な第２の屈曲部を形成する遮蔽板と
を有することを特徴とする遮蔽板の取り付け構造。
【請求項２】
請求項１に記載の遮蔽板の取り付け構造において、
前記第１の可動部材の前記第１の板は、前記第１の方向に延長して複数設けられた第１の長孔を有し、
前記第１の接続部材は、前記第１の長孔に対応して設けられた孔を有し、
前記第２の可動部材の前記第３の板は、前記第１の方向に延長して複数設けられた第２の長孔を有し、
前記第２の接続部材は、前記第２の長孔に対応して設けられた孔を有し、
前記第１の屈曲部は、前記第２の方向に延長して複数設けられた第３の長孔を有し、
前記第１の可動部材の前記第２の板は、前記第３の長孔に対応して設けられた孔を有し、
前記第２の屈曲部は、前記第２の方向に延長して複数設けられた第４の長孔を有し、
前記第２の可動部材の前記第４の板は、前記第４の長孔に対応して設けられた孔を有し、
前記第１の可動部材の前記第１の板に前記第１の方向に延長して複数設けられた前記第１の長孔と前記第１の接続部材に前記第１の長孔に対応して設けられた前記孔とを連通した状態で締結部材を挿入して固定することにより、前記第１の可動部材は前記第１の長孔の長さの範囲の任意の位置で固定され、
前記第２の可動部材の前記第３の板に前記第１の方向に延長して複数設けられた前記第２の長孔と前記第２の接続部材に前記第２の長孔に対応して設けられた前記孔とを連通した状態で締結部材を挿入して固定することにより、前記第２の可動部材は前記第２の長孔の長さの範囲の任意の位置で固定され、
前記第１の屈曲部に前記第２の方向に延長して複数設けられた前記第３の長孔と前記第１の可動部材の前記第２の板に前記第３の長孔に対応して設けられた前記孔とを連通した状態で締結部材を挿入して固定することにより、前記遮蔽板は前記第３の長孔の長さの範囲の任意の位置で固定され、
前記第２の屈曲部に前記第２の方向に延長して複数設けられた前記第４の長孔と前記第２の可動部材の前記第４の板に前記第４の長孔に対応して設けられた前記孔とを連通した状態で締結部材を挿入して固定することにより、前記遮蔽板は前記第４の長孔の長さの範囲の任意の位置で固定される
ことを特徴とする遮蔽板の取り付け構造。
【請求項３】
請求項１に記載の遮蔽板の取り付け構造において、
前記第１の可動部材の前記第１の板は、前記第１の方向に延長して複数設けられた第１の長孔を有し、
前記第１の接続部材は、前記第１の長孔に対応して設けられた第２の長孔を有し、
前記第２の可動部材の前記第３の板は、前記第１の方向に延長して複数設けられた第３の長孔を有し、
前記第２の接続部材は、前記第３の長孔に対応して設けられた第４の長孔を有し、
前記第１の屈曲部は、前記第２の方向に延長して複数設けられた第５の長孔を有し、
前記第１の可動部材の前記第２の板は、前記第５の長孔に対応して設けられた第６の長孔を有し、
前記第２の屈曲部は、前記第２の方向に延長して複数設けられた第７の長孔を有し、
前記第２の可動部材の前記第４の板は、前記第７の長孔に対応して設けられた第８の長孔を有し、
前記第１の可動部材の前記第１の板に前記第１の方向に延長して複数設けられた前記第１の長孔と前記第１の接続部材に前記第１の長孔に対応して設けられた前記第２の長孔とを連通した状態で締結部材を挿入して固定することにより、前記第１の可動部材は前記第１の長孔の長さと前記第２の長孔の長さとの範囲の任意の位置で固定され、
前記第２の可動部材の前記第３の板に前記第１の方向に延長して複数設けられた前記第３の長孔と前記第２の接続部材に前記第３の長孔に対応して設けられた前記第４の長孔とを連通した状態で締結部材を挿入して固定することにより、前記第２の可動部材は前記第３の長孔の長さと前記第４の長孔の長さとの範囲の任意の位置で固定され、
前記第１の屈曲部に前記第２の方向に延長して複数設けられた前記第５の長孔と前記第１の可動部材の前記第２の板に前記第５の長孔に対応して設けられた前記第６の長孔とを連通した状態で締結部材を挿入して固定することにより、前記遮蔽板は前記第５の長孔の長さと前記第６の長孔の長さとの範囲の任意の位置で固定され、
前記第２の屈曲部に前記第２の方向に延長して複数設けられた前記第７の長孔と前記第２の可動部材の前記第４の板に前記第７の長孔に対応して設けられた前記第８の長孔とを連通した状態で締結部材を挿入して固定することにより、前記遮蔽板は前記第７の長孔の長さと前記第８の長孔の長さとの範囲の任意の位置で固定される
ことを特徴とする遮蔽板の取り付け構造。
【発明の詳細な説明】
【技術分野】
【０００１】
本発明は、遮蔽板の取り付け構造に関し、さらに詳細には、遮蔽板を所定の位置に精度よく固定する際に用いて好適な遮蔽板の取り付け構造に関する。
【背景技術】
【０００２】
従来より、外部から内部へ及ぼされる影響を遮断したり、あるいは、内部から外部へ影響を及ぼすことがないようにするための遮蔽板として、例えば、金属や木材あるいは樹脂などの各種の材料により形成された板状物体が用いられている。
【０００３】
こうした遮蔽板のなかで、ドップラーレーダーを用いた測定などにおいて電波を遮るために用いられるものが知られているが、こうした遮蔽板においては、精度の高い測定結果を保証するために、厳密に測定された設置位置にコンクリートなどを用いてその土台を固定する必要があった。
【０００４】
ここで、厳密に測定された設置位置に遮蔽板を固定するには、まず、測定機器を用いて遮蔽板を設置する位置を厳密に決定して位置決めした後に、遮蔽板を位置決めした設置位置に設置し、設置した遮蔽板を支える支柱を固定するために支柱の土台をコンクリートなどで固定する。
【０００５】
それから、コンクリートなどにより設置位置に固定された支柱に支えられている遮蔽板が先に位置決めした設置位置に設置されているか否かを、測定機器を用いて確認するようにしていた。
【０００６】
しかしながら、設置位置を厳密に位置決めする際の測定ミスや土台を固定するために用いるコンクリートの流し入れミスなどにより、遮蔽板の設置位置が厳密に位置決めされた設置位置からはずれてしまうことがあり、ミスした状態で固定されてしまった遮蔽板はその設置位置を変更することができなかった。
【０００７】
このため、従来においては、ミスした状態で遮蔽板が固定されてしまった場合には、改めて位置決め作業からやり直して遮蔽板を設置位置に固定しなければならず、人的、時間的ならびに物質的なコスト高を招来するという問題点があった。
【０００８】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【０００９】
本発明は、上記したような従来の技術の有する種々の問題点に鑑みてなされたものであり、その目的とするところは、遮蔽板を支える支柱が土台に固定された後であっても、遮蔽板の設置位置を容易に調整できるようにして、人的、時間的ならびに物質的なコストの低減を図ることを可能にした遮蔽板の取り付け構造を提供しようとするものである。
【課題を解決するための手段】
【００１０】
上記目的を達成するために、本発明のうち請求項１に記載の発明は、予め位置決めされた所定の位置に固定される遮蔽板の取り付け構造において、土台に固定されて所定の位置に設置される第１の支柱と、土台に固定されて上記第１の支柱と所定の間隔を有して設置される第２の支柱と、上記第１の支柱の所定の位置で固定される第１の接続部材と、上記第２の支柱の所定の位置で固定される第２の接続部材と、第１の方向に延長される第１の板と第２の方向に延長される第２の板よりなる断面Ｌ字形状を備え、上記第１の接続部材を上記第１の支柱に対して上記第１の板が係止され、上記第１の支柱と上記第１の方向に所定の範囲で固定可能な第１の可動部材と、上記第１の方向に延長される第３の板と上記第２の方向に延長される第４の板とよりなる断面Ｌ字形状を備え、上記第２の接続部材を介して上記第２の支柱に対して上記第３の板が係止され、上記第２の支柱と上記第１の方向に所定の範囲で固定可能な第２の可動部材と、上記第１の方向における一方の端部において任意の長さを有して上記第２の方向に屈曲し上記第２の板と上記第２の方向に所定の範囲で固定可能な第１の屈曲部を形成し、上記第１の方向における他方の端部において任意の長さを有して上記第２の方向に屈曲し上記第４の板と上記第２の方向に所定の範囲で固定可能な第２の屈曲部を形成する遮蔽板とを有するようにしたものである。
【００１１】
また、本発明のうち請求項２に記載の発明は、本発明のうち請求項１に記載の発明において、上記第１の可動部材の上記第１の板は、上記第１の方向に延長して複数設けられた第１の長孔を有し、上記第１の接続部材は、上記第１の長孔に対応して設けられた孔を有し、上記第２の可動部材の上記第３の板は、上記第１の方向に延長して複数設けられた第２の長孔を有し、上記第２の接続部材は、上記第２の長孔に対応して設けられた孔を有し、上記第１の屈曲部は、上記第２の方向に延長して複数設けられた第３の長孔を有し、上記第１の可動部材の上記第２の板は、上記第３の長孔に対応して設けられた孔を有し、上記第２の屈曲部は、上記第２の方向に延長して複数設けられた第４の長孔を有し、上記第２の可動部材の上記第４の板は、上記第４の長孔に対応して設けられた孔を有し、上記第１の可動部材の上記第１の板に上記第１の方向に延長して複数設けられた上記第１の長孔と上記第１の接続部材に上記第１の長孔に対応して設けられた上記孔とを連通した状態で締結部材を挿入して固定することにより、上記第１の可動部材は上記第１の長孔の長さの範囲の任意の位置で固定され、上記第２の可動部材の上記第３の板に上記第１の方向に延長して複数設けられた上記第２の長孔と上記第２の接続部材に上記第２の長孔に対応して設けられた上記孔とを連通した状態で締結部材を挿入して固定することにより、上記第２の可動部材は上記第２の長孔の長さの範囲の任意の位置で固定され、上記第１の屈曲部に上記第２の方向に延長して複数設けられた上記第３の長孔と上記第１の可動部材の上記第２の板に上記第３の長孔に対応して設けられた上記孔とを連通した状態で締結部材を挿入して固定することにより、上記遮蔽板は上記第３の長孔の長さの範囲の任意の位置で固定され、上記第２の屈曲部に上記第２の方向に延長して複数設けられた上記第４の長孔と上記第２の可動部材の上記第４の板に上記第４の長孔に対応して設けられた上記孔とを連通した状態で締結部材を挿入して固定することにより、上記遮蔽板は上記第４の長孔の長さの範囲の任意の位置で固定されるようにしたものである。
【００１２】
また、本発明のうち請求項３に記載の発明は、本発明のうち請求項１に記載の発明において、上記第１の可動部材の上記第１の板は、上記第１の方向に延長して複数設けられた第１の長孔を有し、上記第１の接続部材は、上記第１の長孔に対応して設けられた第２の長孔を有し、上記第２の可動部材の上記第３の板は、上記第１の方向に延長して複数設けられた第３の長孔を有し、上記第２の接続部材は、上記第３の長孔に対応して設けられた第４の長孔を有し、上記第１の屈曲部は、上記第２の方向に延長して複数設けられた第５の長孔を有し、上記第１の可動部材の上記第２の板は、上記第５の長孔に対応して設けられた第６の長孔を有し、上記第２の屈曲部は、上記第２の方向に延長して複数設けられた第７の長孔を有し、上記第２の可動部材の上記第４の板は、上記第７の長孔に対応して設けられた第８の長孔を有し、上記第１の可動部材の上記第１の板に上記第１の方向に延長して複数設けられた上記第１の長孔と上記第１の接続部材に上記第１の長孔に対応して設けられた上記第２の長孔とを連通した状態で締結部材を挿入して固定することにより、上記第１の可動部材は上記第１の長孔の長さと上記第２の長孔の長さとの範囲の任意の位置で固定され、上記第２の可動部材の上記第３の板に上記第１の方向に延長して複数設けられた上記第３の長孔と上記第２の接続部材に上記第３の長孔に対応して設けられた上記第４の長孔とを連通した状態で締結部材を挿入して固定することにより、上記第２の可動部材は上記第３の長孔の長さと上記第４の長孔の長さとの範囲の任意の位置で固定され、上記第１の屈曲部に上記第２の方向に延長して複数設けられた上記第５の長孔と上記第１の可動部材の上記第２の板に上記第５の長孔に対応して設けられた上記第６の長孔とを連通した状態で締結部材を挿入して固定することにより、上記遮蔽板は上記第５の長孔の長さと上記第６の長孔の長さとの範囲の任意の位置で固定され、上記第２の屈曲部に上記第２の方向に延長して複数設けられた上記第７の長孔と上記第２の可動部材の上記第４の板に上記第７の長孔に対応して設けられた上記第８の長孔とを連通した状態で締結部材を挿入して固定することにより、上記遮蔽板は上記第７の長孔の長さと上記第８の長孔の長さとの範囲の任意の位置で固定されるようにしたものである。
【発明の効果】
【００１３】
本発明は、以上説明したように構成されているので、遮蔽板を支える支柱が土台に固定された後であっても、遮蔽板の設置位置を容易に調整することができるようになり、人的、時間的ならびに物質的なコストの低減を図ることが可能になるという優れた効果を奏する。
【発明を実施するための最良の形態】
【００１４】
以下、添付の図面を参照しながら、本発明による遮蔽板の取り付け構造の実施の形態の一例を詳細に説明するものとする。
【００１５】
ここで、図１には本発明の実施の形態の一例を示す遮蔽板の取り付け構造を備えた遮蔽装置の概略構成斜視説明図が示されており、図２（ａ）（ｂ）（ｃ）（ｄ）（ｅ）（ｆ）には図１における接続部材の概略構成斜視説明図が示されており、図３（ａ）（ｂ）には図１におけるスライド部材の概略構成斜視説明図が示されており、図４には図１における遮蔽板の概略構成斜視説明図が示されている。
【００１６】
この図１に示す本発明による遮蔽板の取り付け構造を備えた遮蔽装置１０は、上面部が開口した凹部１４ａを形成した略箱状体の土台部１４と、上面部が開口した凹部１８ａを形成した略箱状体の土台部１８と、土台部１４の上面部よりＺ軸方向に延長するようにして凹部１４ａ内に挿入されて固定される支柱１２と、土台部１８の上面部よりＺ軸方向に延長するようにして凹部１８ａ内に挿入されて固定される支柱１６と、支柱１２の所定の位置に係止される接続部材２０−１、２０−２、２０−３と、支柱１６の所定の位置に係止される接続部材２６−１、２６−２、２６−３と、ボルト２２−１ａ、２２−２ａ、２２−３ａとナット２２−１ｂ、２２−２ｂ、２２−３ｂとよりなる締結部材２２−１、２２−２、２２−３により接続部材２０−１、２０−２、２０−３に固定されて接続部材２０−１、２０−２、２０−３を介して支柱１２に接続されるスライド部材２４と、ボルト２８−１ａ、２８−２ａ、２８−３ａとナット２８−１ｂ、２８−２ｂ、２８−３ｂとよりなる締結部材２８−１、２８−２、２８−３により接続部材２６−１、２６−２、２６−３に固定されて接続部材２６−１、２６−２、２６−３を介して支柱１６に接続されるスライド部材３０と、ボルト３２−１ａ、３２−２ａ、３２−３ａとナット３２−１ｂ、３２−２ｂ、３２−３ｂとよりなる締結部材３２−１、３２−２、３２−３、３２−４によりスライド部材２４に固定されるとともにボルト３４−１ａ、３４−２ａ、３４−３ａとナット３４−１ｂ、３４−２ｂ、３４−３ｂとよりなる締結部材３４−１、３４−２、３４−３、３４−４によりスライド部材３０に固定される遮蔽板３６とを有して構成されている。
【００１７】
より詳細には、図２（ａ）（ｂ）（ｃ）に示すように、接続部材２０−１、２０−２、２０−３は、それぞれ筒部２０−１ａ、２０−２ａ、２０−３ａからＹ軸方向に沿って右方側へ延設された板状の凸部２０−１ｂ、２０−２ｂ、２０−３ｂを有する略筒状の金具である。
【００１８】
そして、筒部２０−１ａ、２０−２ａ、２０−３ａには、それぞれＺ軸方向に沿って上下方向に配置された２つのネジ孔たる孔２０−１ｃ、２０−２ｃ、２０−３ｃが穿設されており、また、凸部２０−１ｂ、２０−２ｂ、２０−３ｂには孔２０−１ｄ、２０−２ｄ、２０−３ｄが穿設されている。
【００１９】
同様に、図２（ｄ）（ｅ）（ｆ）に示すように、接続部材２６−１、２６−２、２６−３は、それぞれ筒部２６−１ａ、２６−２ａ、２６−３ａからＹ軸方向に沿って左方側に延設された板状の凸部２６−１ｂ、２６−２ｂ、２６−３ｂを有する略筒状の金具である。
【００２０】
そして、筒部２６−１ａ、２６−２ａ、２６−３ａには、それぞれＺ軸方向に沿って上下方向に配置された２つのネジ孔たる孔２６−１ｃ、２６−２ｃ、２６−３ｃが穿設されており、また、凸部２６−１ｂ、２６−２ｂ、２６−３ｂには孔２６−１ｄ、２６−２ｄ、２６−３ｄが穿設されている。
【００２１】
また、図３（ａ）に示すように、スライド部材２４は、Ｚ軸方向に延長された断面Ｌ字形状の金属板であり、ＹＺ平面に沿って延設されて接続部材２０−１、２０−２、２０−３の凸部２０−１ｂ、２０−２ｂ、２０−３ｂと接続される板２４ａと、板２４ａと直交するようにしてＸＺ平面に沿って延設されるとともに遮蔽板３６と接続される板２４ｂとより構成されている。
【００２２】
そして、板２４ａには、それぞれＺ軸方向に沿って上下方向に配置されるとともにＹ軸方向に延長した長さＬ１を備えた３つの長孔２４ａ−１、２４ａ−２、２４ａ−３が穿設されており、また、板２４ｂには、それぞれＺ軸方向に沿って上下方向に配置された４つの孔２４ｂ−１、２４ｂ−２、２４ｂ−３、２４ｂ−４が穿設されている。
【００２３】
なお、孔２４ｂ−１、２４ｂ−２、２４ｂ−３、２４ｂ−４は、後述する遮蔽板３６の長孔３６ａ−１、３６ａ−２、３６ａ−３、３６ａ−４と対応した位置に設けられている。
【００２４】
同様に、図３（ｂ）に示すように、スライド部材３０は、Ｚ軸方向に延長された断面Ｌ字形状の金属板であり、ＹＺ平面に沿って延設されて接続部材２６−１、２６−２、２６−３の凸部２６−１ｂ、２６−２ｂ、２６−３ｂと接続される板３０ａと、板３０ａと直交するようにしてＸＺ平面に沿って延設されるとともに遮蔽板３６と接続される板３０ｂとより構成されている。
【００２５】
そして、板３０ａには、それぞれＺ軸方向に沿って上下方向に配置されるとともにＹ軸方向に延長した長さＬ１を備えた３つの長孔３０ａ−１、３０ａ−２、３０ａ−３が穿設されており、また、板３０ｂには、それぞれＺ軸方向に沿って上下方向に配置された４つの孔３０ｂ−１、３０ｂ−２、３０ｂ−３、３０ｂ−４が穿設されている。
【００２６】
なお、孔３０ｂ−１、３０ｂ−２、３０ｂ−３、３０ｂ−４は、後述する遮蔽板３６の長孔３６ｂ−１、３６ｂ−２、３６ｂ−３、３６ｂ−４と対応した位置に設けられている。
【００２７】
さらに、遮蔽板３６は金属板により形成されており、図４に示すように、Ｙ軸方向に延長された略矩形状の板状部３６ｃと、板状部３６ｃの長手方向（Ｙ軸方向）の両側の端部において板状部３６ｃと直交するようにしてＸ軸方向に沿って屈曲形成された屈曲部３６ａ、３６ｂとより構成されている。
【００２８】
そして、屈曲部３６ａには、それぞれＺ軸方向に沿って上下方向に配置されるとともにＸ軸方向に延長された長さＬ２の長孔３６ａ−１、３６ａ−２、３６ａ−３、３６ａ−４が穿設されている。
【００２９】
同様に、屈曲部３６ｂには、それぞれＺ軸方向に沿って上下方向に配置されるとともにＸ軸方向に延長された長さＬ２の長孔３６ｂ−１、３６ｂ−２、３６ｂ−３、３６ｂ−４が穿設されている。
【００３０】
ここで、各部材の関係について説明することとするが、まず、接続部材２０−１、２０−２、２０−３と支柱１２との関係について説明する。
【００３１】
即ち、接続部材２０−１、２０−２、２０−３は、図５（ａ）に示すように、止めネジよりなる締結部材２１−１、２１−２、２１−３を用いて、支柱１２の所定の位置に固定されるものである。
【００３２】
より詳細には、接続部材２０−１、２０−２、２０−３の筒部２０−１ａ、２０−２ａ、２０−３ａに支柱１２を挿入し、孔２０−１ｃ、２０−２ｃ、２０−３ｃに締結部材２１−１、２１−２、２１−３を挿入してネジ込みすることにより、締結部材２１−１、２１−２、２１−３を支柱１２の周面に係止させて、接続部材２０−１、２０−２、２０−３を支柱１２の周面の所定の位置にそれぞれ固定するようになされている。
【００３３】
これにより、接続部材２０−１、２０−２、２０−３を、支柱１２におけるＺ軸方向の所望の位置でそれぞれ固定することができることとなる。
【００３４】
同様に、接続部材２６−１、２６−２、２６−３は、図５（ｂ）に示すように、止めネジよりなる締結部材２７−１、２７−２、２７−３を用いて、支柱１６の所定の位置に固定されるものである。
【００３５】
より詳細には、接続部材２６−１、２６−２、２６−３の筒部２６−１ａ、２６−２ａ、２６−３ａに支柱１６を挿入し、孔２６−１ｃ、２６−２ｃ、２６−３ｃに締結部材２７−１、２７−２、２７−３を挿入してネジ込みすることにより、締結部材２７−１、２７−２、２７−３を支柱１６の周面に係止させて、接続部材２６−１、２６−２、２６−３を支柱１６の周面の所定の位置にそれぞれ固定するようになされている。
【００３６】
これにより、接続部材２６−１、２６−２、２６−３を、支柱１６におけるＺ軸方向の所望の位置でそれぞれ固定することができることとなる。
【００３７】
次に、図６を参照しながら、スライド部材２４と接続部材２０−１、２０−２、２０−３との関係について説明すると、スライド部材２４は接続部材２０−１、２０−２、２０−３を介して支柱１２の所定の位置に係止されることになる。
【００３８】
より詳細には、接続部材２０−１、２０−２、２０−３の凸部２０−１ｂ、２０−２ｂ、２０−３ｂの裏面２０−１ｂａ、２０−２ｂａ、２０−３ｂａにスライド部材２４の板２４ａの表面２４ａａを当接させ、接続部材２０−１、２０−２、２０−３の凸部２０−１ｂ、２０−２ｂ、２０−３ｂにそれぞれ設けられた孔２０−１ｄ、２０−２ｄ、２０−３ｄとスライド部材２４の板２４ａに設けられた長孔２４ａ−１、２４ａ−２、２４ａ−３とを連通した状態で所定の位置に位置合わせする。そして、締結部材２２−１、２２−２、２２−３のボルト２２−１ａ、２２−２ａ、２２−３ａを連通した状態で所定の位置に位置合わせされた孔２０−１ｄ、２０−２ｄ、２０−３ｄと長孔２４ａ−１、２４ａ−２、２４ａ−３とに挿入し、締結部材２２−１、２２−２、２２−３のナット２２−１ｂ、２２−２ｂ、２２−３ｂをボルト２２−１ａ、２２−２ａ、２２−３ａにネジ込んで、スライド部材２４を接続部材２０−１、２０−２、２０−３に一体的に固定するようになされている。
【００３９】
ここで、スライド部材２４の板２４ａに設けられた長孔２４ａ−１、２４ａ−２、２４ａ−３はＹ軸方向に長さＬ１で延長されているため、接続部材２０−１、２０−２、２０−３の凸部２０−１ｂ、２０−２ｂ、２０−３ｂにそれぞれ設けられた孔２０−１ｄ、２０−２ｄ、２０−３ｄとスライド部材２４の板２４ａに設けられた長孔２４ａ−１、２４ａ−２、２４ａ−３とを連通した状態で締結部材２２−１、２２−２、２２−３により固定する際には、Ｙ軸方向に長さＬ１の範囲内で任意の位置に固定することができる。つまり、スライド部材２４は、支柱１２に対してＹ軸方向に長さＬ１の範囲内の所望の位置で固定することができることとなる。
【００４０】
同様に、図７を参照しながら、スライド部材３０と接続部材２６−１、２６−２、２６−３との関係について説明すると、スライド部材３０は接続部材２６−１、２６−２、２６−３を介して支柱１６の所定の位置に係止されることになる。
【００４１】
より詳細には、接続部材２６−１、２６−２、２６−３の凸部２６−１ｂ、２６−２ｂ、２６−３ｂの裏面２６−１ｂａ、２６−２ｂａ、２６−３ｂａにスライド部材３０の板３０ａの表面３０ａａを当接させ、接続部材２６−１、２６−２、２６−３の凸部２６−１ｂ、２６−２ｂ、２６−３ｂにそれぞれ設けられた孔２６−１ｄ、２６−２ｄ、２６−３ｄとスライド部材３０の板３０ａに設けられた長孔３０ａ−１、３０ａ−２、３０ａ−３とを連通した状態で所定の位置に位置合わせする。そして、締結部材２８−１、２８−２、２８−３のボルト２８−１ａ、２８−２ａ、２８−３ａを連通した状態で所定の位置に位置合わせされた孔２６−１ｄ、２６−２ｄ、２６−３ｄと長孔３０ａ−１、３０ａ−２、３０ａ−３とに挿入し、締結部材２８−１、２８−２、２８−３のナット２８−１ｂ、２８−２ｂ、２８−３ｂをボルト２８−１ａ、２８−２ａ、２８−３ａにネジ込んで、スライド部材３０を接続部材２６−１、２６−２、２６−３に一体的に固定するようになされている。
【００４２】
ここで、スライド部材３０の板３０ａに設けられた長孔３０ａ−１、３０ａ−２、３０ａ−３はＹ軸方向に長さＬ１で延長されているため、接続部材２６−１、２６−２、２６−３の凸部２６−１ｂ、２６−２ｂ、２６−３ｂにそれぞれ設けられた孔２６−１ｄ、２６−２ｄ、２６−３ｄとスライド部材３０の板３０ａに設けられた長孔３０ａ−１、３０ａ−２、３０ａ−３とを連通した状態で締結部材２８−１、２８−２、２８−３により固定する際には、Ｙ軸方向に長さＬ１の範囲内で任意の位置に固定することができる。つまり、スライド部材３０は、支柱１６に対してＹ軸方向に長さＬ１の範囲内の所望の位置で固定することができることとなる。
【００４３】
次に、図８および図９を参照しながら、遮蔽板３６とスライド部材２４およびスライド部材３０との関係について説明すると、遮蔽板３６は、スライド部材２４およびスライド部材３０に対して、それぞれ締結部材３２−１、３２−２、３２−３、３２−４および締結部材３４−１、３４−２、３４−３、３４−４を用いて所定の位置に固定される。
【００４４】
即ち、図８に示すように、遮蔽板３６は、屈曲部３６ａにおいて屈曲部３６ａの裏面３６ａａとスライド部材２４の板２４ｂの表面２４ｂａとを当接するようにして、屈曲部３６ａに設けられた長孔３６ａ−１、３６ａ−２、３６ａ−３、３６ａ−４とスライド部材２４の板２４ｂに設けられた孔２４ｂ−１、２４ｂ−２、２４ｂ−３、２４ｂ−４とを連通した状態で所定の位置に位置合わせする。そして、締結部材３２−１、３２−２、３２−３、３２−４のボルト３２−１ａ、３２−２ａ、３２−３ａ、３２−４ａを連通した状態で所定の位置に位置合わせされた長孔３６ａ−１、３６ａ−２、３６ａ−３、３６ａ−４と孔２４ｂ−１、２４ｂ−２、２４ｂ−３、２４ｂ−４とに挿入し、締結部材３２−１、３２−２、３２−３、３２−４のナット３２−１ｂ、３２−２ｂ、３２−３ｂ、３２−４ｂをボルト３２−１ａ、３２−２ａ、３２−３ａ、３２−４ａにネジ込んで、遮蔽板３６を接続部材スライド部材２４に一体的に固定するようになされている。
【００４５】
ここで、遮蔽板３６の屈曲部３６ａに設けられた長孔３６ａ−１、３６ａ−２、３６ａ−３、３６ａ−４はＸ軸方向に長さＬ２で延長されているため、スライド部材２４の板２４ｂに設けられた孔２４ｂ−１、２４ｂ−２、２４ｂ−３、２４ｂ−４と屈曲部３６ａに設けられた長孔３６ａ−１、３６ａ−２、３６ａ−３、３６ａ−４とを連通した状態で締結部材３２−１、３２−２、３２−３、３２−４により固定する際には、Ｘ軸方向に長さＬ２の範囲内で任意の位置に固定することができる。つまり、遮蔽板３６の屈曲部３６ａは、スライド部材２４の板２４ｂに対してＸ軸方向に長さＬ２の範囲内の所望の位置で固定することができることとなる。
【００４６】
同様に、図９に示すように、遮蔽板３６は、屈曲部３６ｂにおいて屈曲部３６ｂの裏面３６ｂａとスライド部材３０の板３０ｂの表面３０ｂａとを当接するようにして、屈曲部３６ｂに設けられた長孔３６ｂ−１、３６ｂ−２、３６ｂ−３、３６ｂ−４とスライド部材３０の板３０ｂに設けられた孔３０ｂ−１、３０ｂ−２、３０ｂ−３、３０ｂ−４とを連通した状態で所定の位置に位置合わせする。そして、締結部材３４−１、３４−２、３４−３、３４−４のボルト３４−１ａ、３４−２ａ、３４−３ａ、３４−４ａを連通した状態で所定の位置に位置合わせされた長孔３６ｂ−１、３６ｂ−２、３６ｂ−３、３６ｂ−４と孔３０ｂ−１、３０ｂ−２、３０ｂ−３、３０ｂ−４とに挿入し、締結部材３４−１、３４−２、３４−３、３４−４のナット３４−１ｂ、３４−２ｂ、３４−３ｂ、３４−４ｂをボルト３４−１ａ、３４−２ａ、３４−３ａ、３４−４ａにネジ込んで、遮蔽板３６を接続部材スライド部材３０に一体的に固定するようになされている。
【００４７】
ここで、遮蔽板３６の屈曲部３６ｂに設けられた長孔３６ｂ−１、３６ｂ−２、３６ｂ−３、３６ｂ−４はＸ軸方向に長さＬ２で延長されているため、スライド部材３０の板３０ｂに設けられた孔３０ｂ−１、３０ｂ−２、３０ｂ−３、３０ｂ−４と屈曲部３６ｂに設けられた長孔３６ｂ−１、３６ｂ−２、３６ｂ−３、３６ｂ−４とを連通した状態で締結部材３４−１、３４−２、３４−３、３４−４により固定する際には、Ｘ軸方向に長さＬ２の範囲内で任意の位置に固定することができる。つまり、遮蔽板３６の屈曲部３６ｂは、スライド部材３０の板３０ｂに対してＸ軸方向に長さＬ２の範囲内の所望の位置で固定することができることとなる。
【００４８】
従って、遮蔽板３６をスライド部材２４およびスライド部材３０に固定する際に、締結部材３２−１、３２−２、３２−３、３２−４および締結部材３４−１、３４−２、３４−３、３４−４を固定する固定位置が、長孔３６ａ−１、３６ａ−２、３６ａ−３、３６ａ−４および長孔３６ｂ−１、３６ｂ−２、３６ｂ−３、３６ｂ−４の各長孔の後方側の端部に位置するときは、遮蔽板３６は最前方に位置するようになる。
【００４９】
一方、遮蔽板３６をスライド部材２４およびスライド部材３０に固定する際に、締結部材３２−１、３２−２、３２−３、３２−４および締結部材３４−１、３４−２、３４−３、３４−４を固定する固定位置が、長孔３６ａ−１、３６ａ−２、３６ａ−３、３６ａ−４および長孔３６ｂ−１、３６ｂ−２、３６ｂ−３、３６ｂ−４の各長孔の前方側の端部に位置するときは、遮蔽板３６は最後方、つまり、最も支柱１２および支柱１６に近づいて位置することとなる。
【００５０】
また、遮蔽板３６をスライド部材２４およびスライド部材３０に固定する際に、締結部材３２−１、３２−２、３２−３、３２−４および締結部材３４−１、３４−２、３４−３、３４−４を固定する固定位置が、屈曲部３６ａおよび屈曲部３６ｂともにＸ軸方向に対して同じ方向に同じ長さだけ長孔３６ａ−１、３６ａ−２、３６ａ−３、３６ａ−４および長孔３６ｂ−１、３６ｂ−２、３６ｂ−３、３６ｂ−４において移動させた場合には、遮蔽板３６はＹＺ平面方向に対して平行した状態で固定されるようになる。
【００５１】
一方、遮蔽板３６をスライド部材２４およびスライド部材３０に固定する際に、締結部材３２−１、３２−２、３２−３、３２−４および締結部材３４−１、３４−２、３４−３、３４−４を固定する固定位置が、屈曲部３６ａの長孔３６ａ−１、３６ａ−２、３６ａ−３、３６ａ−４と屈曲部３６ｂの長孔３６ｂ−１、３６ｂ−２、３６ｂ−３、３６ｂ−４とでＸ軸方向に対して異なる方向や異なる長さで長孔３６ａ−１、３６ａ−２、３６ａ−３、３６ａ−４および長孔３６ｂ−１、３６ｂ−２、３６ｂ−３、３６ｂ−４において移動させた場合には、遮蔽板３６はＸＹ平面において所定の角度がつけられた状態で固定されるようになる。
【００５２】
以上の構成において、遮蔽装置１０の遮蔽板３６を任意に位置決めされた所定の位置に固定するには、まず、土台１４および土台１８を予め測定機器により大まかに位置決めされた設置位置に設置し、土台１４に支柱１２を挿入してＺ軸方向に沿って立たせた状態でコンクリートを流し込んで固定するとともに、土台１８に支柱１６を挿入してＺ軸方向に沿って立たせた状態でコンクリートを流し込んで固定する。
【００５３】
なお、このとき、土台１４および土台１８の設置位置は大まかに位置決めされているが、支柱１２と支柱１６との間隔は厳密に設定されて土台１４と土台１８とにそれぞれ固定されるものとする。
【００５４】
次に、遮蔽板３６の屈曲部３６ａを締結部材３２−１、３２−２、３２−３、３２−４を用いてスライド部材２４の板２４ｂに取り付けるとともに、遮蔽板３６の屈曲部３６ｂを締結部材３４−１、３４−２、３４−３、３４−４を用いてスライド部材３０の板３０ｂに取り付ける。
【００５５】
そして、スライド部材２４の板２４ａに接続部材２０−１、２０−２、２０−３の凸部２０−１ｂ、２０−２ｂ、２０−３ｂを締結部材２２−１、２２−２、２２−３を用いて取り付け、また、スライド部材３０の板３０ａに接続部材２６−１、２６−２、２６−３の凸部２６−１ｂ、２６−２ｂ、２６−３ｂを締結部材２８−１、２８−２、２８−３を用いて取り付ける。
【００５６】
さらに、スライド部材２４の板２４ａに取り付けられた接続部材２０−１、２０−２、２０−３の筒部２０−１ａ、２０−２ａ、２０−３ａを支柱１２に挿入して、締結部材２１−１、２１−２、２１−３を用いて支柱１２に接続部材２０−１、２０−２、２０−３を取り付け、また、スライド部材３０の板３０ｂに取り付けられた接続部材２６−１、２６−２、２６−３の筒部２６−１ａ、２６−２ａ、２６−３ａを支柱１６に挿入して、締結部材２７−１、２７−２、２７−３を用いて支柱１６に接続部材２６−１、２６−２、２６−３を取り付ける。
【００５７】
上記のようにして、遮蔽板３６は大まかに位置決めされた状態で、土台１４および土台１８にそれぞれ固定された支柱１２および支柱１６に取り付けられる。
【００５８】
次に、大まかに位置決めされた状態で支柱１２および支柱１６に取り付けられた遮蔽板３６の位置調整を行うことになるが、まず、Ｘ軸方向における遮蔽板３６の取り付け位置を調整する場合には、遮蔽板３６の屈曲部３６ａおよび屈曲部３６ｂにそれぞれ設けられた長孔３６ａ−１、３６ａ−２、３６ａ−３、３６ａ−４および長孔３６ｂ−１、３６ｂ−２、３６ｂ−３、３６ｂ−４の延長方向に沿って、遮蔽板３６の屈曲部３６ａとスライド部材２４の板２４ｂとの締結部材３２−１、３２−２、３２−３、３２−４による締結位置および遮蔽板３６の屈曲部３６ｂとスライド部材３０の板３０ｂとの締結部材３４−１、３４−２、３４−３、３４−４による締結位置を適宜に移動して調整するようにする。
【００５９】
具体的には、大まかに位置決めされた状態で遮蔽板３６が支柱１２および支柱１６に取り付けられたとき、遮蔽板３６の屈曲部３６ａとスライド部材２４の板２４ｂとの締結部材３２−１、３２−２、３２−３、３２−４による締結位置および遮蔽板３６の屈曲部３６ｂとスライド部材３０の板３０ｂとの締結部材３４−１、３４−２、３４−３、３４−４による締結位置が、例えば、図８および図９に示すように屈曲部３６ａおよび屈曲部３６ｂにそれぞれ設けられた長孔３６ａ−１、３６ａ−２、３６ａ−３、３６ａ−４および長孔３６ｂ−１、３６ｂ−２、３６ｂ−３、３６ｂ−４の後方側の端部に位置していたとする。
【００６０】
この状態において、締結した締結部材３２−１、３２−２、３２−３、３２−４のボルト３２−１ａ、３２−２ａ、３２−３ａ、３２−４ａおよびナット３２−１ｂ、３２−２ｂ、３２−３ｂ、３２−４ｂと締結部材３４−１、３４−２、３４−３、３４−４のボルト３４−１ａ、３４−２ａ、３４−３ａ、３４−４ａおよびナット３４−１ｂ、３４−２ｂ、３４−３ｂ、３４−４ｂとを緩め、遮蔽板３６の屈曲部３６ａおよび屈曲部３６ｂを前方側に移動させ所定の位置で締結部材３２−１、３２−２、３２−３、３２−４および締結部材３４−１、３４−２、３４−３、３４−４を再度締結することによって、スライド部材２４およびスライド部材３０に取り付けられた遮蔽板３６をＸ軸方向の前方側へ移動して固定することができる。
【００６１】
また、Ｙ軸方向における遮蔽板３６の取り付け位置を調整する場合には、スライド部材２４の板２４ａおよびスライド部材３０の板３０ａにそれぞれ設けられた長孔２４ａ−１、２４ａ−２、２４ａ−３および長孔３０ａ−１、３０ａ−２、３０ａ−３の延長方向に沿って、スライド部材２４の板２４ａと接続部材２０−１、２０−２、２０−３の凸部２０−１ｂ、２０−２ｂ、２０−３ｂとの締結部材２２−１、２２−２、２２−３による締結位置およびスライド部材３０の板３０ａと接続部材２６−１、２６−２、２６−３の凸部２６−１ｂ、２６−２ｂ、２６−３ｂとの締結部材２８−１、２８−２、２８−３による締結位置を適宜に移動して調整するようにする。
【００６２】
具体的には、大まかに位置決めされた状態で遮蔽板３６が支柱１２および支柱１６に取り付けられたとき、スライド部材２４の板２４ａと接続部材２０−１、２０−２、２０−３の凸部２０−１ｄ、２０−２ｄ、２０−３ｄとの締結部材２２−１、２２−２、２２−３による締結位置およびスライド部材３０の板３０ａと接続部材２６−１、２６−２、２６−３の凸部２６−１ｂ、２６−２ｂ、２６−３ｂとの締結部材２８−１、２８−２、２８−３による締結位置が、例えば、図６および図７に示すようにスライド部材２４の板２４ａおよびスライド部材３０の板３０ａにそれぞれ設けられた長孔２４ａ−１、２４ａ−２、２４ａ−３および長孔３０ａ−１、３０ａ−２、３０ａ−３の左方側の端部に位置していたとする。
【００６３】
この状態において、締結した締結部材２２−１、２２−２、２２−３のボルト２２−１ａ、２２−２ａ、２２−３ａおよびナット２２−１ｂ、２２−２ｂ、２２−３ｂと締結部材２８−１、２８−２、２８−３のボルト２８−１ａ、２８−２ａ、２８−３ａおよびナット２８−１ｂ、２８−２ｂ、２８−３ｂとを緩め、スライド部材２４およびスライド部材３０を右方側に移動させ所定の位置で締結部材２２−１、２２−２、２２−３および締結部材２８−１、２８−２、２８−３を再度締結することによって、スライド部材２４およびスライド部材３０に取り付けられた遮蔽板３６をＹ軸方向の右方側へ移動して固定することができる。
【００６４】
さらに、Ｚ軸方向における遮蔽板３６の取り付け位置を調整する場合には、接続部材２０−１、２０−２、２０−３および接続部材２６−１、２６−２、２６−３をそれぞれ支柱１２および支柱１６に沿って、接続部材２０−１、２０−２、２０−３と支柱１２との締結部材２１−１、２１−２、２１−３による締結位置および接続部材２６−１、２６−２、２６−３と支柱１６との締結部材２７−１、２７−２、２７−３による締結位置を適宜に移動して調整するようにする。
【００６５】
具体的には、接続部材２０−１、２０−２、２０−３の筒部２０−１ａ、２０−２ａ、２０−３ａおよび接続部材２６−１、２６−２、２６−３の筒部２６−１ａ、２６−２ａ、２６−３ａを支柱１２および支柱１６に沿って上方もしくは下方側の所定の位置に移動させ、その所定の位置で締結部材２０−１ｃ、２０−２ｃ、２０−３ｃおよび締結部材２６−１ｃ、２６−２ｃ、２６−３ｃを用いて接続部材２０−１、２０−２、２０−３および接続部材２６−１、２６−２、２６−３を支柱１２および支柱１６に係止することにより、遮蔽板３６をＺ軸方向の上方側もしくは下方側へ移動して固定することができる。
【００６６】
また、ＸＹ平面において設置する角度を調整する場合には、接続部材２０−１、２０−２、２０−３を支柱１２の中心軸Ｏを中心としてＺ軸周り方向に所定の角度だけ回転させて調整したり、接続部材２６−１、２６−２、２６−３を支柱１６の中心軸Ｏを中心としてＺ軸周り方向に所定の角度だけ回転させて調整したりすればよい。
【００６７】
具体的には、例えば、図１０（ａ）において示す遮蔽装置１０の接続部材２０−１、２０−２、２０−３を、支柱１２の中心軸Ｏを中心として矢印Ａ方向（時計回り方向）に所定の角度だけ回転させることにより、接続部材２０−１、２０−２、２０−３の凸部２０−１ｂ、２０−２ｂ、２０−３ｂの矢印Ａ方向への回転に伴い、スライド部材２４ならびに遮蔽板３６が矢印Ａ方向へ回転する。
【００６８】
この際に、遮蔽板３６の屈曲部３６ｂの位置は、接続部材２０−１、２０−２、２０−３が支柱１２の中心軸Ｏを中心として矢印Ａ方向に回転することによって、前方側に移動するようになる。このため、角度調整前の屈曲部３６ｂとスライド部材３０の板３０ｂとの締結部材３４−１、３４−２、３４−３、３４−４による締結位置が、長孔３６ｂ−１、３６ｂ−２、３６ｃ−３、３６ｄ−４の中間付近に位置していたとすると（図１１（ａ）を参照する。）、屈曲部３６ｂに設けられた長孔３６ｂ−１、３６ｂ−２、３６ｃ−３、３６ｄ−４とスライド部材３０の板３０ｂに設けられた孔３０ｂ−１、３０ｂ−２、３０ｂ−３、３０ｂ−４との締結部材３４−１、３４−２、３４−３、３４−４による締結位置は、図１１（ａ）に示す長孔３６ｂ−１、３６ｂ−２、３６ｃ−３、３６ｄ−４の中間付近の位置から、図１１（ｂ）に示すように長孔３６ｂ−１、３６ｂ−２、３６ｃ−３、３６ｄ−４の後方側に移動することとなる。
【００６９】
こうして、接続部材２０−１、２０−２、２０−３を矢印Ａ方向に回転させる前の遮蔽板３６の位置（図１０（ａ）を参照する。）に対して、ＸＹ平面において所定の角度だけ角度調整された状態の遮蔽板３６（図１０（ｂ）を参照する。）が得られる。
【００７０】
また、図１０（ａ）において示す遮蔽装置１０の接続部材２０−１、２０−２、２０−３を、支柱１２の中心軸Ｏを中心としてＢ方向（反時計回り方向）に所定の角度だけ回転させることにより、接続部材２０−１、２０−２、２０−３の凸部２０−１ｂ、２０−２ｂ、２０−３ｂの矢印Ｂ方向への回転に伴い、スライド部材２４ならびに遮蔽板３６が矢印Ｂ方向へ回転する。
【００７１】
この際に、遮蔽板３６の屈曲部３６ｂの位置は、接続部材２０−１、２０−２、２０−３が支柱１２の中心軸Ｏを中心として矢印Ｂ方向に回転することによって、後方側に移動するようになる。このため、角度調整前の屈曲部３６ｂとスライド部材３０の板３０ｂとの締結部材３４−１、３４−２、３４−３、３４−４による締結位置が、長孔３６ｂ−１、３６ｂ−２、３６ｂ−３、３６ｂ−４の中間付近に位置していたとすると（図１２（ａ）を参照する。）、屈曲部３６ｂに設けられた長孔３６ｂ−１、３６ｂ−２、３６ｃ−３、３６ｄ−４とスライド部材３０の板３０ｂに設けられた孔３０ｂ−１、３０ｂ−２、３０ｂ−３、３０ｂ−４との締結部材３４−１、３４−２、３４−３、３４−４による締結位置は、図１２（ａ）に示す長孔３６ｂ−１、３６ｂ−２、３６ｃ−３、３６ｄ−４の中間付近の位置から、図１２（ｂ）に示すように長孔３６ｂ−１、３６ｂ−２、３６ｃ−３、３６ｄ−４の前方側に位置することとなる。
【００７２】
こうして、接続部材２０−１、２０−２、２０−３を矢印Ｂ方向に回転させる前の遮蔽板３６の位置（図１０（ａ）を参照する。）に対して、ＸＹ平面において所定の角度だけ角度調整された状態の遮蔽板３６（図１０（ｃ）を参照する。）が得られる。
【００７３】
さらに、遮蔽板３６の屈曲部３６ａとスライド部材２４の板２４ｂとを、締結部材３２−１、３２−２、３２−３、３２−４によって長孔３６ａ−１、３６ａ−２、３６ａ−３、３６ａ−４の後方側の端部から所定の長さＬ３だけ前方側の位置で固定するとともに、遮蔽板３６の屈曲部３６ｂとスライド部材３０の板３０ｂとを、締結部材３４−１、３４−２、３４−３、３４−４によって長孔３６ｂ−１、３６ｂ−２、３６ｂ−３、３６ｂ−４の後方側の端部から長さＬ３と異なる所定の長さＬ４だけ前方側の位置で固定すると、遮蔽板３６をＸＹ平面において角度をつけた状態で固定することができる。
【００７４】
つまり、所定の長さＬ３が所定の長さＬ４より大きい場合は、接続部材２０−１、２０−２、２０−３を支柱１２の中心軸Ｏを中心にＢ方向（反時計回り方向）に回転させたときのような角度調整を行うことができ、また、所定の長さＬ３が所定の長さＬ４より小さい場合は、接続部材２０−１、２０−２、２０−３を支柱１２の中心軸Ｏを中心にＡ方向（時計回り方向）に回転させたときのような角度調整を行うことができるようになる。
【００７５】
このように、接続部材２０−１、２０−２、２０−３や接続部材２６−１、２６−２、２６−３を回転させることなく、遮蔽板３６の屈曲部３６ａおよび屈曲部３６ｂとスライド部材２４およびスライド部材３０との固定位置を調整することにより、遮蔽板３６のＸＹ平面において設置する角度を調整することも可能である。
【００７６】
なお、設置する角度を調整する際には、スライド部材２４と支柱１２との設置位置およびスライド部材３０と支柱１６との設置位置ならびに屈曲部３６ａとスライド部材２４との設置位置および屈曲部３６ｂとスライド部材３０との設置位置により、スライド部材２４の板２４ａと板２４ｂとのなす角度やスライド部材３０の板３０ａと板３０ｂとのなす角度および屈曲部３６ａや屈曲部３６ｂのなす角度が変化する。このため、設置する角度の調整する際には、スライド部材２４、３０や遮蔽板３６の寸法や材質に依存することとなる。
【００７７】
以上において説明したように、本発明による遮蔽板の取り付け構造を備えた遮蔽装置１０によれば、遮蔽板３６を支える支柱１２、１６が土台１４、１８に固定された後であっても、遮蔽板３６の設置位置を容易に調整することができる。
【００７８】
このため、遮蔽板３６の設置に伴う人的、時間的ならびに物質的なコストの低減を図ることができる。
【００７９】
また、本発明による遮蔽板の取り付け構造を備えた遮蔽装置１０によれば、設置位置を大まかに設定した上で微調整を行いながら遮蔽板３６を適正な位置に設置することができるため、遮蔽板３６を設置する際の作業が容易になる。
【００８０】
また、遮蔽板３６の設置位置を容易に調整することができるため、測定機器を用いた位置決め作業の際の測定ミスや土台１４、１８を固めるために用いるコンクリートの流し込みミスなどにより遮蔽板３６が位置決めされた設置位置からはずれた際にも、遮蔽板３６を所望の位置に容易に調整することができる。
【００８１】
なお、上記した実施の形態は、以下の（１）乃至（４）に示すように変形することができるものである。
【００８２】
（１）上記した実施の形態においては、遮蔽板３６の屈曲部３６ａおよび屈曲部３６ｂに長孔３６ａ−１、３６ａ−２、３６ａ−３、３６ａ−４、３６ｂ−１、３６ｂ−２、３６ｂ−３、３６ｂ−４を設け、スライド部材２４の板２４ｂおよびスライド部材３０の板３０ｂに孔を設けるようにしたがこれに限られるものではないことは勿論であり、スライド部材２４の板２４ｂおよびスライド部材３０の板３０ｂに長孔を設け、屈曲部３６ａおよび屈曲部３６ｂに孔を設けるようにしてもよい。
【００８３】
さらに、図１３（ａ）に示すように、遮蔽板３６の屈曲部３６ａおよび屈曲部３６ｂとスライド部材２４の板２４ｂおよびスライド部材３０の板３０ｂとに長孔を設けるようにしてもよい。このような構成とすることにより、遮蔽板３６の設置位置を調整できる範囲が広くなる。
【００８４】
（２）上記した実施に形態においては、接続部材２０−１、２０−２、２０−３の凸部２０−１ｂ、２０−２ｂ、２０−３ｂおよび接続部材２６−１、２６−２、２６−３の凸部２６−１ｂ、２６−２ｂ、２６−３ｂに孔２０−１ｄ、２０−２ｄ、２０−３ｄおよび２６−１ｄ、２６−２ｄ、２６−３ｄを設け、スライド部材２４の板２４ａおよびスライド部材３０の板３０ａに長孔２４ａ−１、２４ａ−２、２４ａ−３、３０ａ−１、３０ａ−２、３０ａ−３、を設けるようにしたが、これに限られるものではないことは勿論であり、接続部材２０−１、２０−２、２０−３の凸部２０−１ｂ、２０−２ｂ、２０−３ｂおよび接続部材２６−１、２６−２、２６−３の凸部２６−１ｂ、２６−２ｂ、２６−３ｂに長孔を設け、スライド部材２４の板２４ａおよびスライド部材３０の板３０ａの孔を設けて締結するようにしてもよい。
【００８５】
さらに、図１３（ｂ）に示すように、接続部材２０−１、２０−２、２０−３の凸部２０−１ｂ、２０−２ｂ、２０−３ｂおよび接続部材２６−１、２６−２、２６−３の凸部２６−１ｂ、２６−２ｂ、２６−３ｂとスライド部材２４の板２４ａおよびスライド部材３０の板３０ａとに長孔を設けるようにしてもよい。このような構成とすることにより、遮蔽板３６の設置位置を調整できる範囲が広くなる。
【００８６】
（３）上記した実施の形態においては、支柱１２および支柱１６とスライド部材２４および３０とを３カ所で固定し、スライド部材２４およびスライド部材３０と遮蔽板３６の屈曲部３６ａおよび屈曲部３６ｂとを４カ所で固定するようにしていたが、これに限られるものではないことは勿論であり、固定箇所は２カ所以上であればよい。
【００８７】
（４）上記した実施の形態ならびに上記した（１）乃至（３）に示す変形例は、適宜に組み合わせるようにしてもよい。
【産業上の利用可能性】
【００８８】
本発明は、ドップラーレーダーなどに用いられる遮蔽装置のような各種の電波測定装置における電波を遮蔽するための装置などとして利用することができる。
【図面の簡単な説明】
【００８９】
【図１】図１は、本発明による遮蔽板の取り付け構造を備えた遮蔽装置の概略構成斜視説明図である。
【図２】図２（ａ）（ｂ）（ｃ）（ｄ）（ｅ）（ｆ）は、図１における接続部材の概略構成斜視説明図である。
【図３】図３（ａ）（ｂ）は、図１におけるスライド部材の概略構成斜視説明図である。
【図４】図４は、図１における遮蔽板の概略構成斜視説明図である。
【図５】図５（ａ）（ｂ）は、支柱と接続部材との固定方法を示す概略構成斜視説明図である。
【図６】図６は、支柱とスライド部材との固定方法を示す概略構成斜視説明図である。
【図７】図７は、支柱とスライド部材との固定方法を示す概略構成斜視説明図である。
【図８】図８は、スライド部材と遮蔽板との固定方法を示す概略構成斜視説明図である。
【図９】図９は、スライド部材と遮蔽板との固定方法を示す概略構成斜視説明図である。
【図１０】図１０（ａ）は、本発明による遮蔽板の取り付け構造を備えた遮蔽装置の概略構成斜視説明図であり、図１０（ｂ）（ｃ）は、図１０（ａ）の遮蔽板をＸＹ平面において角度調整した遮蔽装置の概略構成斜視説明図である。
【図１１】図１１（ａ）は、角度調整前の遮蔽板とスライド部材との固定位置を示す概略構成斜視説明図であり、図１１（ｂ）は、角度調整後の遮蔽板とスライド部材との固定位置を示す概略構成斜視説明図である。
【図１２】図１２（ａ）は、角度調整前の遮蔽板とスライド部材との固定位置を示す概略構成斜視説明図であり、図１２（ｂ）は、角度調整後の遮蔽板とスライド部材との固定位置を示す概略構成斜視説明図である。
【図１３】図１３（ａ）は、スライド部材に設けられた孔の変形例を示す概略構成斜視説明図であり、図１３（ｂ）は、接続部材の凸部に設けられた孔の変形例を示す概略構成斜視説明図である。
【符号の説明】
【００９０】
１０        遮蔽装置
１２、１６        支柱
１４、１８        土台
２０−１、２０−２、２０−３、２６−１、２６−２、２６−３        接続部材
２０−１ｃ、２０−２ｃ、２０−３ｃ、２０−１ｄ、２０−２ｄ、２０−３ｄ、２６−１ｃ、２６−２ｃ、２６−３ｃ、２６−１ｄ、２６−２ｄ、２６−３ｄ、２４ｂ−１、２４ｂ−２、２４ｂ−３、２４ｂ−４、３０ｂ−１、３０ｂ−２、３０ｂ−３、３０ｂ−４        孔
２１−１、２１−２、２１−３、２２−１、２２−２、２２−３、２７−１、２７−２、２７−３、２８−１、２８−２、２８−３、３２−２、３２−２、３２−３、３２−４、３４−２、３４−２、３４−３、３４−４        締結部材
２２−１ａ、２２−２ａ、２２−３ａ、２８−１ａ、２８−２ａ、２８−３ａ、３２−１ａ、３２−２ａ、３２−３ａ、３２−４ａ、３４−１ａ、３４−２ａ、３４−３ａ、３４−４ａ        ボルト
２２−１ｂ、２２−２ｂ、２２−３ｂ、２８−１ｂ、２８−２ｂ、２８−３ｂ、３２−１ｂ、３２−２ｂ、３２−３ｂ、３２−４ｂ、３４−１ｂ、３４−２ｂ、３４−３ｂ、３４−４ｂ        ナット
２４、３０        スライド部材
２４ａ−１、２４ａ−２、２４ａ−３、３０ａ−１、３０ａ−２、３０ａ−３、３６ａ−１、３６ａ−２、３６ａ−３、３６ａ−４、３６ｂ−１、３６ｂ−２、３６ｂ−３、３６ｂ−４        長孔
３６        遮蔽板
【図１】
2008298496.tif 000003
【図２】
2008298496.tif 000004
【図３】
2008298496.tif 000005
【図４】
2008298496.tif 000006
【図５】
2008298496.tif 000007
【図６】
2008298496.tif 000008
【図７】
2008298496.tif 000009
【図８】
2008298496.tif 000010
【図９】
2008298496.tif 000011
【図１０】
2008298496.tif 000012
【図１１】
2008298496.tif 000013
【図１２】
2008298496.tif 000014
【図１３】
2008298496.tif 000015